(57)【特許請求の範囲】
【請求項１】
光ディスクの回転を制御する回転制御手段と、
前記光ディスクに対して、記録マークに対応したレーザ光を照射する照射手段と、
前記照射手段により照射され、前記光ディスクから反射された反射光を受光する受光手段と、
前記受光手段により受光された前記反射光を電気信号に変換する変換手段と、
前記変換手段の後段に設けられ、前記回転制御手段による前記光ディスクの回転速度が速い場合にスルーレート制御期間を短くし、回転速度が遅い場合にスルーレート制御期間を長くするスルーレート制御信号を生成し、前記光ディスクの回転速度に応じたスルーレート制御期間を実現するためのスルーレート制御信号に基づいて、記録マークの先端に対応する電気信号の立ち上がりを遅くして、記録マークの後端に対応する電気信号の立ち下がりを早くすることにより、記録マークに対応する電気信号の振幅変化を小さくするスルーレート制御手段と、
前記スルーレート制御信号により制御された前記電気信号をサンプル・ホールドするサンプル・ホールド手段と、
前記サンプル・ホールド手段によるサンプル・ホールドの結果から判明する再生レベルに基づき再生時のサーボを制御するサーボ制御手段と、
を備えたことを特徴とする光ディスクドライブ。
【請求項２】
光ディスクに対して、記録マークに対応したレーザ光を照射し、
前記光ディスクから反射された反射光を受光し、
前記受光された前記反射光を電気信号に変換し、
前記光ディスクの回転速度が速い場合にスルーレート制御期間を短くし、回転速度が遅い場合にスルーレート制御期間を長くするスルーレート制御信号を生成し、前記光ディスクの回転速度に応じたスルーレート制御期間を実現するためのスルーレート制御信号に基づいて、記録マークの先端に対応する電気信号の立ち上がりを遅くして、記録マークの後端に対応する電気信号の立ち下がりを早くすることにより、記録マークに対応する電気信号の振幅変化を小さくし、
前記スルーレート制御信号により制御された前記電気信号をサンプル・ホールドし、
前記サンプル・ホールドの結果から判明する再生レベルに基づき再生時のサーボを制御する、
ことを特徴とする信号処理方法。
【発明の詳細な説明】
【０００１】
【発明の属する技術分野】
この発明は、光ディスクに対してレーザ光を照射し、光ディスクに対してデータを記録したり、光ディスクに記録されたデータを再生したりする光ディスクドライブに関する。また、この発明は、光ディスクドライブにおける信号処理方法に関する。
【０００２】
【従来の技術】
近年、光ディスクに対してレーザ光を照射し、光ディスクに対してデータを記録したり、光ディスクに記録されたデータを再生したりする光ディスクドライブの研究開発が盛んになっている。光ディスクドライブでは、ディスクにデータを記録している記録期間（いわゆるマーク期間）、及び記録パルスと記録パルスの間の再生期間（いわゆるスペース期間）の夫々の期間で、サンプル・ホールド技術を利用して、信号が検出されている。具体的には、レーザからの発光量を示すモニタ信号を検出しレーザ光の光量を制御したり、フォーカッシングやトラッキングを制御するために再生期間における光ディスクからの反射光から得られるエラー信号を検出してフォーカッシングやトラッキングを制御したりする。
【０００３】
【発明が解決しようとする課題】
しかし、光ディスクドライブの高速化に伴い、信号検出精度に問題が発生している。レーザからの発光量を示すモニタ信号を検出する際には、マークのレベルとスペースのレベルが検出される。エラー信号を検出する際には、スペースのレベルのみが検出される。光ディスクドライブの高速化に伴って、モニタ信号やエラー信号を得るのに速度が間に合わず、検出誤差が生じてしまう恐れがあった。結果的に、レーザの光量制御又はサーボ制御の精度が悪くなるという問題があった。
【０００４】
この発明の目的は、信号検出精度に優れた光ディスクドライブ及び信号処理方法を提供することにある。
【０００５】
【課題を解決するための手段】
上記課題を解決し目的を達成するために、この発明の光ディスクドライブ及び信号処理方法は、以下のように構成されている。
【０００６】
（１）この発明の光ディスクドライブは、ディスクにレーザ光を照射する照射手段と、前記照射手段により照射された前記レーザ光を受光する受光手段と、前記受光手段により受光された前記レーザ光を電気信号に変換する変換手段と、前記変換手段の後段に設けられ、前記ディスクの回転速度に応じてスルーレート制御信号を生成し、このスルーレート制御信号に基づいて前記電気信号の振幅変化を小さくするスルーレート制御手段と、前記スルーレート制御手段により制御された前記電気信号を処理する信号処理手段と、を備えている。
【０００７】
（２）この発明の信号処理方法は、光を受光し、受光された光を電気信号に変換し、スルーレート制御信号により前記電気信号を処理する。
【０００８】
【発明の実施の形態】
以下、この発明の実施の形態について図面を参照して説明する。
【０００９】
図１は、この発明の一例に係る光ディスクドライブの信号処理部の概略構成を示すブロック図である。この光ディスクドライブは、光ディスクに対してレーザ光を照射し、光ディスクに対してデータを記録したり、光ディスクに記録されたデータを再生したりする。ここで言う光ディスクとは、ＣＤ、ＤＶＤ、又はＭＯなどを指し、特にディスクの種別は限定しない。
【００１０】
図１に示すように、光ディスクドライブは、レーザ光量モニタ用フォトダイオード１１、光電変換回路１２、スルーレート制御回路１３、ピーク・ホールド回路１４、サンプル・ホールド回路１５、光量制御回路１６、レーザ駆動回路１７、レーザダイオード１８、反射光検出用フォトダイオード２１、光電変換回路２２、スルーレート制御回路２３、サンプル・ホールド回路２５、サーボ制御回路２６、ディスク回転制御回路３１、スルーレート制御信号生成回路３２、タイミング信号生成回路３３を備えている。
【００１１】
レーザ駆動回路１７は、レーザダイオード１８を駆動し、レーザダイオード１８からレーザ光を照射させる。レーザダイオード１８から照射されるレーザ光は、図示しないビームスプリッターにより、図示しない対物レンズを通して光ディスクへ照射されるレーザ光と、レーザ光量モニタ用フォトダイオード１１へ入射されるレーザ光とに分光される。
【００１２】
まず、レーザ光量モニタ用フォトダイオード１１へ入射されるレーザ光に対応する信号の流れについて説明する。レーザ光量モニタ用フォトダイオード１１へ入射されたレーザ光は、光電変換回路１２により電気信号に変換される。スルーレート制御回路１３は、スルーレート制御信号により光電変換回路１２で変換された電気信号を処理する。この処理によって、電気信号の立ち上がりパルスの先頭にあるノイズが除去される。このスルーレート制御信号は、スルーレート制御信号生成回路３２により生成される。スルーレート制御信号生成回路３２は、ディスク回転制御回路３１から通知されるディスク回転状態を受け取り、このディスク回転制御状態に基づきスルーレート制御信号を生成する。ディスク回転速度が速い場合はスルーレート制御の期間が短くなり、遅い場合はスルーレート制御の期間が長くなる。つまり、ディスク回転速度に応じて、スルーレート制御信号は生成される。先に記述した記録期間において、ピーク・ホールド回路１４がスルーレート制御信号により処理された電気信号をピーク・ホールドする。光量制御回路１６は、ピーク・ホールドの結果に基づき、レーザ駆動回路１７を制御して、レーザダイオード１８から照射されるレーザ光の光量を制御する。また、先に記述した再生期間において、タイミング信号生成回路３３で生成されるタイミング信号に基づき、サンプル・ホールド回路１５がスルーレート制御信号により処理された電気信号をサンプル・ホールドする。このタイミング信号は、光電変換回路２２により変換された電気信号の立ち上がりエッジをもとに、この電気信号の立ち下がりエッジから所定時間経過した後までをサンプリングするための信号である。光量制御回路１６は、サンプル・ホールドの結果に基づき、レーザ駆動回路１７を制御して、レーザダイオード１８から照射されるレーザ光の光量を制御する。
【００１３】
続いて、光ディスクへ照射されたレーザ光のディスクからの反射光に対応する信号の流れについて説明する。光ディスクからの反射光は、ディスク反射光検出用フォトダイオード２１に入射される。ディスク反射光検出用フォトダイオード２１へ入射されたレーザ光は、光電変換回路２２により電気信号に変換される。スルーレート制御回路２３は、スルーレート制御信号により光電変換回路２２で変換された電気信号を処理する。このスルーレート制御信号は、スルーレート制御信号生成回路３２により生成される。スルーレート制御信号生成回路３２については、既に説明した通りである。先に記述した再生期間において、タイミング信号生成回路３３で生成されるタイミング信号に基づき、サンプル・ホールド回路２５がスルーレート制御信号により処理された電気信号をサンプル・ホールドする。サーボ制御回路２６は、サンプル・ホールドの結果に基づき、各部に対してサーボ制御信号を出力する。
【００１４】
次に、図２を参照して、光ディスクドライブ内で処理される各信号波形について説明する。例えば、図２の最上段に示す記録マークの処理を想定する。このとき、レーザ光量モニタ用フォトダイオード１１でモニタされる信号Ｓ１、つまり光電変換回路１２から出力される信号Ｓ１は、図示の通りである。スルーレート制御信号によりこの信号Ｓ１を処理して得られる信号Ｓ２、つまりスルーレート制御回路１３から出力される信号Ｓ２は、図示の通りである。信号Ｓ２をピーク・ホールドした結果得られる信号Ｓ３、つまりピーク・ホールド回路１４から出力される信号Ｓ３は、図示の通りである。サンプル・ホールド制御のためのタイミング信号、つまりタイミング信号生成回路３３から出力される信号Ｓ４は、図示の通りである。信号Ｓ４を見てみると、信号Ｓ１のマーク期間の最初の立ち上がりエッジの際に立ち下がり、マーク期間の最後の立ち下がりエッジから所定時間経過後に立ち上がるようになっている。信号Ｓ２を信号Ｓ４のタイミングでサンプル・ホールドした結果得られる信号Ｓ５、つまりサンプル・ホールド回路１５から出力される信号Ｓ５は、図示の通りである。ディスク反射光検出用フォトダイオード２１で検出される信号Ｓ６、つまり光電変換回路２２から出力される信号Ｓ６は、図示の通りである。スルーレート制御信号によりこの信号Ｓ６を処理して得られる信号Ｓ７、つまりスルーレート制御回路２３から出力される信号Ｓ７は、図示の通りである。サンプル・ホールド制御のためのタイミング信号、つまりタイミング信号生成回路３３から出力される信号Ｓ８は、図示の通りである。信号Ｓ８を見てみると、信号Ｓ６の最初の立ち上がりエッジの際に立ち下がり、最後の立ち下がりエッジから所定時間経過後に立ち上がるようになっている。信号Ｓ７を信号Ｓ８のタイミングでサンプル・ホールドした結果得られる信号Ｓ９、つまりサンプル・ホールド回路２５から出力される信号Ｓ９は、図示の通りである。
【００１５】
図２を参照すると、各記録マークの先端と後端に対応する信号Ｓ１の波形には、違いが見られる。スルーレート制御により、記録マークの先端と後端に対応する波形を同程度にする（振幅変化を小さくする）。つまり、スルーレート制御により、信号Ｓ１の立ち上がりパルスの先頭に発生するノイズが除去される（信号Ｓ１をＳ２に変換する）。そして、この信号Ｓ２をピーク・ホールドし記録レベルの検出を行い、又は、この信号Ｓ２をサンプル・ホールドし再生レベルを検出することで正しい検出レベルを検出することができる。
【００１６】
サーボ制御のための信号は、再生レベルをサンプル・ホールド検出できればよい。従って、スルーレート制御により、記録マークの先端に対応する立ち上がりは十分遅くして、記録マークの後端に対応する立ち下がりは早くする。つまり、スルーレート制御により、信号Ｓ６を信号Ｓ７に変換する。この変換により振幅変化が小さくなり早く再生レベルに復帰できる。これにより、高い検出精度を得ることができる。
【００１７】
また、上記説明したように、スルーレート制御信号は、ディスク回転速度に応じて生成される。つまり、記録速度に応じてスルーレート制御信号を変化させることにより、記録速度に関係なく安定した信号検出が実現できる。
【００１８】
図３は、光ディスクドライブ内における信号処理を説明するためのフローチャートである。まず、光が受光される（ＳＴ１）。つまり、レーザ光量モニタ用フォトダイオード１１にレーザ光が入射される。また、ディスク反射光検出用フォトダイオード２１に反射光が入射される。受光された光は電気信号に変換される（ＳＴ２）。つまり、レーザ光量モニタ用フォトダイオード１１に入射されたレーザ光は、光電変換回路１２により電気信号に変換される。また、ディスク反射光検出用フォトダイオード２１に入射された反射光は、光電変換回路２２により電気信号に変換される。変換された電気信号は、スルーレート制御信号により処理される（ＳＴ３）。つまり、光電変換回路１２により変換された電気信号は、スルーレート制御回路１３において、スルーレート制御信号により処理される。また、光電変換回路２２により変換された電気信号は、スルーレート制御回路２３において、スルーレート制御信号により処理される。スルーレート制御信号により処理された電気信号がピーク・ホールドされたり、サンプル・ホールドされたりし（ＳＴ４）、これらピーク・ホールドの結果、又はサンプル・ホールドの結果に基づき、光量が制御されたり、サーボが制御されたりする（ＳＴ５）。スルーレート制御信号により処理された電気信号は、変化の振幅が小さくなっている。これにより、ピーク・ホールド又はサンプル・ホールドにより正しく信号を検出することが可能となり、結果的に、正しい光量制御及びサーボ制御が実現される。
【００１９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００２０】
【発明の効果】
この発明によれば、信号検出精度に優れた光ディスクドライブ及び信号処理方法を提供できる。
【図面の簡単な説明】
【図１】この発明の一例に係る光ディスクドライブの信号処理部の概略構成を示すブロック図である。
【図２】光ディスクドライブ内で処理される各信号波形を説明するための図である。
【図３】光ディスクドライブ内における信号処理を説明するためのフローチャートである。
【符号の説明】
１１…レーザ光量モニタ用フォトダイオード
１２…光電変換回路
１３…スルーレート制御回路
１４…ピーク・ホールド回路
１５…サンプル・ホールド回路
１６…光量制御回路
１７…レーザ駆動回路
１８…レーザダイオード
２１…反射光検出用フォトダイオード
２２…光電変換回路
２３…スルーレート制御回路
２５…サンプル・ホールド回路
２６…サーボ制御回路
３１…ディスク回転制御回路
３２…スルーレート制御信号生成回路
３３…タイミング信号生成回路
【図１】
0003699928.tif 000002
【図２】
0003699928.tif 000003
【図３】
0003699928.tif 000004